【手続補正書】
【提出日】平成22年2月25日(2010.2.25)
【手続補正１】
【補正対象書類名】明細書
【補正対象項目名】００４１
【補正方法】削除
【補正の内容】
【手続補正２】
【補正対象書類名】明細書
【補正対象項目名】００４２
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
製品(４)の収容器具(２００)と組み合わせて用いるようになっている注射針アセンブリー(１)であって、前記収容器具(２００)が
末端部(８ａ)および基端部(８ｂ)を有し、前記製品(４)を収容するためのチャンバ(９)を画成するほぼ筒状のバレル(８)と、
末端側への力を加えることにより前記製品(４)が末端部(８ａ)を通って排出されるようになっているピストン(２)と
を少なくとも具え、この注射針アセンブリー(１)は、
注射針(５)を収容するようになっており、前記注射針(５)が露出する露出位置と前記注射針(５)が前記バレル(８)に隠される格納位置との間を移動可能であり、注射針ハブ(６)により支えられ、前記注射針ハブ(６)と共に第１の材料で作られた注射針支承部(７)と、
前記注射針支承部(７)を少なくとも前記露出位置にて前記バレル(８)の前記末端部(８ａ)に固定するようになっている係合手段(８ａ，１０，１１，１８，１９，２０，２３)と
を少なくとも具え、
前記チャンバ(９)の末端部(９ａ)を前記注射針支承部(７)に対して緊密にシールし、前記チャンバ(９)の末端部(９ａ)から少なくとも前記露出位置における注射針支承部(７)への前記注射可能な製品(４)のあらゆる漏洩を回避すると共に製品の透過を減らすようになっており、第２の材料で作られたシール手段(１５)と、
前記係合手段(８ａ，１０，１１，１８，１９，２０，２３)と前記注射針支承部(７)との間に配され、破壊された場合に前記露出位置と前記格納位置との間の前記係合手段(８ａ，１０，１１，１８，１９，２０，２３)に対して前記注射針支承部(７)の基端側への独自の変位を可能にするようになっている壊れやすい部分(７ａ)と
を具えていることを特徴とする注射針アセンブリー(１)。
【請求項２】
前記第１の材料がショアＤで５０以上の硬度を示すことを特徴とする請求項１に記載の注射針アセンブリー(１)。
【請求項３】
前記硬度がショアＤで６０以上であることを特徴とする請求項２に記載の注射針アセンブリー(１)。
【請求項４】
前記第２の材料がショアＡで３０から８０までの範囲に亙る硬度を示すことを特徴とする請求項１に記載の注射針アセンブリー(１)。
【請求項５】
前記硬度がショアＡで４５から７０までの範囲に亙っていることを特徴とする請求項４に記載の注射針アセンブリー(１)。
【請求項６】
前記シール手段は、ゴムと、熱可塑性エラストマーと、これらの任意の組み合わせと、その類似物とを含むグループから選択される材料にて少なくとも部分的に作られたプラグ(１５)を少なくとも具えていることを特徴とする請求項１に記載の注射針アセンブリー(１)。
【請求項７】
前記ゴム状材料がオレフィンベースの熱可塑性エラストマーであることを特徴とする請求項１から請求項６の何れかに記載の注射針アセンブリー(１)。
【請求項８】
前記注射針ハブ(６)および注射針支承部(７)は、ゴムと、ポリプロピレンおよびポリエチレンの如き熱可塑性ポリマーと、これらの任意の組み合わせと、その類似物とを含むグループから選択される材料で少なくとも部分的に作られていることを特徴とする請求項１に記載の注射針アセンブリー(１)。
【請求項９】
前記注射針ハブ(６)および前記注射針支承部(７)がポリプロピレンで作られていることを特徴とする請求項８に記載の注射針アセンブリー(１)。
【請求項１０】
前記注射針支承部(７)を含め、前記シール手段(１５)および前記注射針ハブ(６)は、これらの個々の境界間で製品(４)のあらゆる漏洩を回避するように相互に物理的に連結されていることを特徴とする請求項１に記載の注射針アセンブリー(１)。
【請求項１１】
前記注射針支承部(７)を含め、前記シール手段(１５)および前記注射針ハブ(６)は、複数材料の同時成形部品であることを特徴とする請求項１０に記載の注射針アセンブリー(１)。
【請求項１２】
前記壊れやすい部分(７ａ)と前記シール手段(１５)とが一体化されていることを特徴とする請求項１に記載の注射針アセンブリー(１)。
【請求項１３】
前記係合手段と前記シール手段(１５)とが一体化されていることを特徴とする請求項１に記載の注射針アセンブリー(１)。
【請求項１４】
前記シール手段(１５)は、ＡＳＴＭ標準記号Ｅ９６-９３の処理「Ａ」により測定した場合、室温で１日当たり３ｇ.mm/m2以下、好ましくは室温で１日当たり１ｇ.mm/m2以下、より好ましくは室温で１日当たり０.５ｇ.mm/m2以下の水透過割合を持つ材料で作られていることを特徴とする請求項１に記載の注射針アセンブリー(１)。
【請求項１５】
少なくとも前記壊れやすい部分(７ａ)は、一注入行程端にて前記ピストン(２)により末端側に移動可能であるようになっており、
前記注射針アセンブリー(１)は、前記壊れやすい部分(７ａ)の方に向けられ、露出位置の前記注射針支承部(７)に対して固定して配されるようになっている切り離し手段(１６)を具え、これが末端側へ移動した場合に前記壊れやすい部分(７ａ)を破壊し、注射針支承部(７)の基端側への変位を可能にするようになっていることを特徴とする請求項１に記載の注射針アセンブリー(１)。
【請求項１６】
前記係合手段は、前記バレル(８)に少なくとも部分的に形成された環状溝(１４)に前記露出位置でスナップ止めされるようになっている径方向壁部(１０，１９，２０，２３)を具えていることを特徴とする請求項１に記載の注射針アセンブリー(１)。
【請求項１７】
前記径方向壁部(１９，２０，２３)が変形可能な材料で作られていることを特徴とする請求項１６に記載の注射針アセンブリー(１)。
【請求項１８】
前記径方向壁部が前記注射針ハブ(６)に画成されたフランジ(１０)であることを特徴とする請求項１６に記載の注射針アセンブリー(１)。
【請求項１９】
前記径方向壁部が前記注射針ハブ(６)に画成された複数の径方向突起部(１９，２０)であることを特徴とする請求項１６に記載の注射針アセンブリー(１)。
【請求項２０】
前記径方向突起部は、末端方向および／または基端方向にそれぞれ延在する複数の長手方向可撓性脚部(２１)の末端部および／または基端部(２０)を形成していることを特徴とする請求項１９に記載の注射針アセンブリー(１)。
【請求項２１】
前記シール手段は、末端方向および基端方向にそれぞれ延在し、前記注射針ハブ(６)の基端領域の一部を収容すると共に前記バレル(８)の前記末端部(８ａ)に緊密に収容される長手方向スカート(２２)を具えていることを特徴とする請求項１に記載の注射針アセンブリー(１)。
【請求項２２】
前記スカート(２２)は、前記露出位置から作動位置までそれ自身を折り返すことが可能であることを特徴とする請求項２１に記載の注射針アセンブリー(１)。
【請求項２３】
前記切り離し手段は、前記注射針ハブ(６)の注射針支承部(７)の一部を収容するようになっている少なくとも切断面(１６)をスリーブ(１７)の基端部に具えていることを特徴とする請求項１５に記載の注射針アセンブリー(１)。
【請求項２４】
前記係合手段(８ａ，１０，１１，１８，１９，２０，２３)と前記注射針支承部(７)との間に配され、前記注射針支承部(７)を前記係合手段(８ａ，１０，１１，１８，１９，２０，２３)から離れる前記基端方向へ動かすようになっている付勢手段(１２)を具えていることを特徴とする請求項１に記載の注射針アセンブリー(１)。
【請求項２５】
前記バレル(８)の末端部(８ａ)に適合し、少なくとも露出位置にて前記注射針支承部(７)と前記壊れやすい部分(７ａ)と、前記シール手段(１５)とを収容するようになっている先端(１８)をさらに具えていることを特徴とする請求項１に記載の注射針アセンブリー(１)。
【請求項２６】
注射針(５)をさらに具えていることを特徴とする請求項１に記載の注射針アセンブリー(１)。
【請求項２７】
注射針カバー(２４)をさらに具えていることを特徴とする請求項１に記載の注射針アセンブリー(１)。
【請求項２８】
少なくとも収容器具(２００)を具えると共に請求項１に記載の注射針アセンブリー(１)を具えていることを特徴とする製品(４)の注射器具(１００)。
【請求項２９】
前記収容器具(２００)が
末端部(８ａ)および基端部(８ｂ)を有し、前記製品(４)を収容するためのチャンバ(９)を画成するほぼ筒状をなすバレル(８)と、
末端側への力を加えることにより前記製品(４)が末端部(８ａ)を通って排出されるようになっているピストン(２)と
を少なくとも具え、前記収容器具(２００)が前記製品(４)を事前充填可能であって、前記ピストン(２)が前記バレル(８)の基端部(８ｂ)をシールしていることを特徴とする請求項２８に記載の注射器具(１００)。
【請求項３０】
前記ピストン(２)が自立性ピストンであることを特徴とする請求項２９に記載の注射器具(１００)。
【請求項３１】
前記バレル(８)は、その内壁に前記注射針支承部(７)に設けられた前記径方向壁部(１０，１９，２０，２３)を少なくとも前記露出位置にて収容するようになっている当接部(１１)を画成する環状溝(１４)を具えていることを特徴とする請求項２９に記載の注射器具(１００)。
【請求項３２】
前記当接部が環状の凸部(１１)であることを特徴とする請求項３１に記載の注射器具(１００)。
【請求項３３】
前記バレル(８)は、ポリプロピレンと、ポリシクロオレフィンと、これらの組み合わせとを含むグループから選択される材料で作られていることを特徴とする請求項２９に記載の注射器具(１００)。
【請求項３４】
前記ピストン(２)が前記注射針アセンブリー(１)の末端側に動いて製品(４)の注射を実現させることをもたらす駆動手段(３)を具えていることを特徴とする請求項２９に記載の注射器具(１００)。
【請求項３５】
前記駆動手段は、少なくとも前記注射針(５)をその格納位置に収容するようになっている中空のプランジャーロッド(３)を具えていることを特徴とする請求項３４に記載の注射器具(１００)。
【請求項３６】
前記プランジャーロッド(３)の末端部(２５)の少なくとも一部が開口していることを特徴とする請求項３５に記載の注射器具(１００)。
【請求項３７】
前記プランジャーロッドの末端部(２５)は、前記切り離し手段(１６)が注射の終りに前記プランジャーロッド(３)に加えられる末端側への力の作用によって前記ピストン(２)を切断するように、前記ピストン(２)のための径方向支承面を形成してピストン(２)が前記プランジャーロッド(３)にそれ自体変形することを阻止するようになっている支持手段(２６)を具えていることを特徴とする請求項１５に記載の注射器具(１００)。
【請求項３８】
前記支持手段が径方向壁部(２６)を具えていることを特徴とする請求項３７に記載の注射器具(１００)。
【請求項３９】
前記径方向壁部(２６)が複数の径方向延在部を画成していることを特徴とする請求項３８に記載の注射器具(１００)。